(57)【要約】【課題】  評判の良い福引や抽選会がタイムリーに開催でき、大規模なものから小規模なものまでに適用できる福引抽選技術の提供。【解決手段】  サーバ装置２は福引抽選委託者の端末装置５からの選択設定情報を受信し景品の選択を含む設定を行う選択設定手段２１、設定結果を福引抽選委託者の端末装置５に送出する選択設定結果送出手段２５、福引抽選用端末装置６から福引抽選情報を受信し福引抽選を行う福引抽選手段２６、料金を算出して福引抽選委託者の端末装置５に送出する料金送出手段２７を有し、福引抽選委託者の端末装置５は選択設定情報送出手段５１、選択設定結果受信手段５２、福引抽選情報発行手段５３、料金受信手段５４を有し、福引抽選用端末装置６は福引抽選委託者の端末装置５が発行する福引抽選情報を読み取り福引抽選代理実施者のサーバ装置２に送出する福引抽選情報送出手段６１を有する。【選択図】      図２
2005339159.tif 000002
【特許請求の範囲】
【請求項１】
通信ネットワークと、該通信ネットワークに接続される福引抽選代理実施者のサーバ装置と、該サーバ装置に接続される商品情報データベースと、前記通信ネットワークに接続される福引抽選委託者の端末装置と、福引抽選用端末装置とを有するネットワークシステムにおける福引抽選方法であって、
前記サーバ装置が、前記福引抽選委託者の端末装置から送出される選択設定情報に基づいて景品の選択を含む選択設定を行う選択設定手順と、該選択設定の結果を前記福引抽選委託者の端末装置に送出する選択設定結果送出手順と、前記福引抽選委託者の端末装置が福引抽選情報を発行する手順と、前記サーバ装置が、前記福引抽選用端末装置から送出される福引抽選情報により福引抽選を行う福引抽選手順と、福引抽選の終了により料金の算出し前記福引抽選委託者の端末装置に送出する料金送出手順とを有することを特徴とする福引抽選方法。
【請求項２】
請求項１に記載の福引抽選方法において、
前記選択設定情報は、景品の選択情報、参加資格の設定情報、終了条件の設定情報を含む情報であることを特徴とする福引抽選方法。
【請求項３】
請求項１に記載の福引抽選方法において、
前記福引抽選情報は、福引抽選委託団体名、福引抽選委託者名、福引抽選委託者が発行する一連の番号、福引抽選回数を含む情報であることを特徴とする福引抽選方法。
【請求項４】
請求項１に記載の福引抽選方法において、
前記料金送出手順は、前記福引抽選情報に含まれる福引抽選回数を前記福引抽選委託者名毎にカウントし、該カウントに応じて費用を算出する手順であることを特徴とする福引抽選方法。
【請求項５】
通信ネットワークと、該通信ネットワークに接続される福引抽選代理実施者のサーバ装置と、該サーバ装置に接続される商品情報データベースと、前記通信ネットワークに接続される福引抽選委託者の端末装置と、福引抽選用端末装置とを有する福引抽選システムであって、
前記サーバ装置は、前記福引抽選委託者の端末装置から送出される選択設定情報を受信し景品の選択を含む設定を行う選択設定手段と、該選択設定の結果を前記福引抽選委託者の端末装置に送出する選択設定結果送出手段と、前記福引抽選用端末装置から送出される福引抽選情報を受信し福引抽選を行う福引抽選手段と、福引抽選の終了により料金の算出して前記福引抽選委託者の端末装置に送出する料金送出手段とを有し、
前記福引抽選委託者の端末装置は、前記選択設定情報を送出する選択設定情報送出手段と、前記選択設定の結果を受信する選択設定結果受信手段と、前記福引抽選情報を発行する福引抽選情報発行手段と、前記料金を受信する料金受信手段とを有し、
前記福引抽選用端末装置は、前記福引抽選委託者の端末装置が発行する前記福引抽選情報を読み取り前記福引抽選代理実施者のサーバ装置に送出する福引抽選情報送出手段を有することを特徴とする福引抽選システム。
【請求項６】
請求項５に記載の福引抽選システムにおいて、
前記選択設定情報は、景品の選択情報、参加資格の設定情報、終了条件の設定情報を含む情報であることを特徴とする福引抽選システム。
【請求項７】
請求項５に記載の福引抽選システムにおいて、
前記福引抽選情報は、福引抽選委託団体名、福引抽選委託者名、福引抽選委託者が発行する一連の番号、福引抽選回数を含む情報であることを特徴とする福引抽選システム。
【請求項８】
請求項５に記載の福引抽選システムにおいて、
前記料金送出手段は、前記福引抽選情報に含まれる福引抽選回数を前記福引抽選委託者名毎にカウントし、該カウントに応じて費用を算出する手段であることを特徴とする福引抽選システム。
【請求項９】
請求項５から８のいずれかに記載された福引抽選システムにおいて用いられる福引抽選用プログラムであって、
前記サーバ装置, 前記福引抽選委託者の端末装置あるいは前記福引抽選用端末装置の各手段をコンピュータで実現させるための福引抽選用プログラム。
【請求項１０】
通信ネットワークと、該通信ネットワークに接続される福引抽選代理実施者のサーバ装置と、該サーバ装置に接続される商品情報データベースと、前記通信ネットワークに接続される福引抽選委託者の携帯端末とを有するネットワークシステムに適用される福引抽選方法であって、
前記サーバ装置が、前記福引抽選委託者の携帯端末から送出される選択設定情報により景品の選択を含む設定を行う選択設定手順と、前記福引抽選委託者の携帯端末からのアクセスにより福引抽選を行う福引抽選手順と、福引抽選の終了により料金を算出し前記福引抽選委託者の携帯端末に送出する料金送出手順とを有することを特徴とする福引抽選方法。
【請求項１１】
請求項１０に記載の福引抽選方法において、
前記選択設定情報は、景品の選択情報、参加資格の設定情報、終了条件の設定情報を含む情報であることを特徴とする福引抽選方法。
【請求項１２】
通信ネットワークと、該通信ネットワークに接続される福引抽選代理実施者のサーバ装置と、該サーバ装置に接続される商品情報データベースと、前記通信ネットワークに接続される福引抽選委託者の携帯端末とを有する福引抽選システムであって、
前記サーバ装置は、前記福引抽選委託者の携帯端末から送出される選択設定情報を受信して景品の選択を含む設定を行う選択設定手段と、前記福引抽選委託者の携帯端末からのアクセスにより福引抽選を行う福引抽選手段と、福引抽選の終了により料金を算出し前記福引抽選委託者の携帯端末に送出する料金送出手段とを有し、
前記福引抽選委託者の携帯端末は、前記選択設定情報を送出する選択設定情報送出手段と、前記福引抽選代理実施者のサーバ装置から送出される前記料金を受信する料金受信手段とを有することを特徴とする福引抽選システム。
【請求項１３】
請求項１２に記載の福引抽選システムにおいて、
前記選択設定情報は、景品の選択情報、参加資格の設定情報、終了条件の設定情報を含む情報であることを特徴とする福引抽選システム。
【請求項１４】
請求項１２または１３に記載された福引抽選システムにおいて用いられる福引抽選用プログラムであって、
前記サーバ装置の各手段または前記福引抽選委託者の携帯端末の各手段をコンピュータまたは携帯端末で実現させるための福引抽選用プログラム。
【発明の詳細な説明】
【技術分野】
【０００１】
本発明は、ネットワークを用いた福引抽選に関し、具体的にはネットワークを介して景品の選択、参加資格や抽選期間の設定等を可能にする福引抽選方法，福引抽選システムおよび福引抽選用プログラムに関する。
【背景技術】
【０００２】
従来の通信ネットワークを用いた抽選システムとしては、例えば特開２００３−２９９８６７号公報「抽選システム及び景品管理端末装置」（特許文献１）がある。
【０００３】
特開２００３−２９９８６７号公報（特許文献１）に記載されたものは、（ａ）処理手段が通信ネットワークを介して端末装置からアクセスされると、本端末装置から送信される会員特定情報に基づいて会員であるかどうか特定し、（ｂ）会員であることが特定されると、本会員の既獲得ポイントに基づき抽選に参加する資格が有るかどうかを判断し、（ｃ）抽選に参加する資格が有りと判断した場合は抽選を実行し、（ｄ）抽選の結果を端末装置に通知するものである。
【０００４】
これにより、一連の抽選の処理が人手を介さずに行うことができるようになり、会員は好きな時間に抽選ができ、また所定の当選確率が維持できていることの確認もとれるようになる。
【０００５】
しかしながら、これらの従来の通信ネットワークを用いた抽選システムでは、抽選の実施に先立って行われる景品の選択、参加資格や抽選期間等の設定に対し通信ネットワークを介して可能にすることについては何ら言及されていない。
【０００６】
【特許文献１】特開２００３−２９９８６７号公報
【発明の開示】
【発明が解決しようとする課題】
【０００７】
上記に述べた従来の通信ネットワークを用いた抽選システムにあっては、抽選の実施に先立って行われる景品の選択、参加資格や抽選期間等の設定については通信ネットワークを介して行うことができないという問題がある。
【０００８】
そこで、本発明の解決すべき主要な課題は、上記の問題を解決し、福引や抽選会のキーとなる「何を景品として」「いつ実施するか」等を、福引や抽選会を開催したい団体あるいは個人が、ネットワークを介して決めることができ、それに基づき福引や抽選会が実施できるようにすることで、評判の良い福引や抽選会がタイムリーに開催でき、また商店街の大売出しのときに行う大規模なものから数人のパーティの余興で行う小規模なものまで規模によらずに適用できる福引抽選方法，福引抽選システムおよび福引抽選用プログラムを提供することにある。
【課題を解決するための手段】
【０００９】
本発明は、上記の課題を解決するために下記に述べる手順あるいは手段を講じるものである。以下、請求項毎に、発明を構成する手順あるいは手段を述べる。
請求項１に記載の福引抽選方法は、通信ネットワークと、該通信ネットワークに接続される福引抽選代理実施者のサーバ装置と、該サーバ装置に接続される商品情報データベースと、前記通信ネットワークに接続される福引抽選委託者の端末装置と、福引抽選用端末装置とを有するネットワークシステムにおける福引抽選方法であって、前記サーバ装置が、前記福引抽選委託者の端末装置から送出される選択設定情報に基づいて景品の選択を含む選択設定を行う選択設定手順と、該選択設定の結果を前記福引抽選委託者の端末装置に送出する選択設定結果送出手順と、前記福引抽選委託者の端末装置が福引抽選情報を発行する手順と、前記サーバ装置が、前記福引抽選用端末装置から送出される福引抽選情報により福引抽選を行う福引抽選手順と、福引抽選の終了により料金の算出し前記福引抽選委託者の端末装置に送出する料金送出手順とを有することを特徴とする。
【００１０】
また、請求項２に記載の福引抽選方法は、前記選択設定情報は、景品の選択情報、参加資格の設定情報、終了条件の設定情報を含む情報であることを特徴とする。
【００１１】
また、請求項３に記載の本発明の福引抽選方法は、前記福引抽選情報が、福引抽選委託団体名、福引抽選委託者名、福引抽選委託者が発行する一連の番号、福引抽選回数を含む情報であることを特徴とする。
【００１２】
また、請求項４に記載の福引抽選方法は、前記料金送出手順が、前記福引抽選情報に含まれる福引抽選回数を前記福引抽選委託者名毎にカウントし、該カウントに応じて費用を算出する手順であることを特徴とする。
【００１３】
これらの発明は、主として大規模向きであって、福引や抽選会の景品、参加資格、終了条件の設定を、福引や抽選会を開催したい福引抽選委託者がネットワークを介して決めることができ、それに基づき福引や抽選会が実施できる方法が実施可能になる。
【００１４】
請求項５に記載の福引抽選システムは、通信ネットワークと、該通信ネットワークに接続される福引抽選代理実施者のサーバ装置と、該サーバ装置に接続される商品情報データベースと、前記通信ネットワークに接続される福引抽選委託者の端末装置と、福引抽選用端末装置とを有する福引抽選システムであって、前記サーバ装置は、前記福引抽選委託者の端末装置から送出される選択設定情報を受信し景品の選択を含む設定を行う選択設定手段と、該選択設定の結果を前記福引抽選委託者の端末装置に送出する選択設定結果送出手段と、前記福引抽選用端末装置から送出される福引抽選情報を受信し福引抽選を行う福引抽選手段と、福引抽選の終了により料金の算出して前記福引抽選委託者の端末装置に送出する料金送出手段とを有し、前記福引抽選委託者の端末装置は、前記選択設定情報を送出する選択設定情報送出手段と、前記選択設定の結果を受信する選択設定結果受信手段と、前記福引抽選情報を発行する福引抽選情報発行手段と、前記料金を受信する料金受信手段とを有し、前記福引抽選用端末装置は、前記福引抽選委託者の端末装置が発行する前記福引抽選情報を読み取り前記福引抽選代理実施者のサーバ装置に送出する福引抽選情報送出手段を有することを特徴とする。
【００１５】
また、請求項６に記載の福引抽選システムは、前記選択設定情報が、景品の選択情報、参加資格の設定情報、終了条件の設定情報を含む情報であることを特徴とする。
【００１６】
また、請求項７に記載の本発明の福引抽選システムは、前記福引抽選情報が、福引抽選委託団体名、福引抽選委託者名、福引抽選委託者が発行する一連の番号、福引抽選回数を含む情報であることを特徴とする。
【００１７】
また、請求項８に記載の福引抽選システムは、前記料金送出手段が、前記福引抽選情報に含まれる福引抽選回数を前記福引抽選委託者名毎にカウントし、該カウントに応じて費用を算出する手段であることを特徴とする。
【００１８】
請求項９に記載の福引抽選用プログラムは、前記サーバ装置, 前記福引抽選委託者の端末装置あるいは前記福引抽選用端末装置の各手段をコンピュータで実現させるための福引抽選用プログラムである。
【００１９】
これらの発明は、主として大規模向きであって、福引や抽選会の景品、参加資格、終了条件の設定を、福引や抽選会を開催したい福引抽選委託者がネットワークを介して決めることができ、それに基づき福引や抽選会が実施できるシステムが実施可能になる。
【００２０】
請求項１０に記載の福引抽選方法は、通信ネットワークと、該通信ネットワークに接続される福引抽選代理実施者のサーバ装置と、該サーバ装置に接続される商品情報データベースと、前記通信ネットワークに接続される福引抽選委託者の携帯端末とを有するネットワークシステムに適用される福引抽選方法であって、前記サーバ装置が、前記福引抽選委託者の携帯端末から送出される選択設定情報により景品の選択を含む設定を行う選択設定手順と、前記福引抽選委託者の携帯端末からのアクセスにより福引抽選を行う福引抽選手順と、福引抽選の終了により料金を算出し前記福引抽選委託者の携帯端末に送出する料金送出手順とを有することを特徴とする。
【００２１】
また、請求項１１に記載の福引抽選方法は、前記選択設定情報が、景品の選択情報、参加資格の設定情報、終了条件の設定情報を含む情報であることを特徴とする。
【００２２】
これらの発明は、主として小規模向きであって、福引や抽選会の景品、参加資格、終了条件の設定を、福引や抽選会を開催したい福引抽選委託者がネットワークを介して決めることができ、それに基づき福引や抽選会が実施できる方法が実施可能になる。
【００２３】
請求項１２に記載の福引抽選システムは、通信ネットワークと、該通信ネットワークに接続される福引抽選代理実施者のサーバ装置と、該サーバ装置に接続される商品情報データベースと、前記通信ネットワークに接続される福引抽選委託者の携帯端末とを有する福引抽選システムであって、前記サーバ装置は、前記福引抽選委託者の携帯端末から送出される選択設定情報を受信して景品の選択を含む設定を行う選択設定手段と、前記福引抽選委託者の携帯端末からのアクセスにより福引抽選を行う福引抽選手段と、福引抽選の終了により料金を算出し前記福引抽選委託者の携帯端末に送出する料金送出手段とを有し、前記福引抽選委託者の携帯端末は、前記選択設定情報を送出する選択設定情報送出手段と、前記福引抽選代理実施者のサーバ装置から送出される前記料金を受信する料金受信手段とを有することを特徴とする。
【００２４】
また、請求項１３に記載の福引抽選システムは、前記選択設定情報が、景品の選択情報、参加資格の設定情報、終了条件の設定情報を含む情報であることを特徴とする。
【００２５】
また、請求項１４に記載の福引抽選用プログラムは、前記サーバ装置の各手段または前記福引抽選委託者の携帯端末の各手段をコンピュータまたは携帯端末で実現させるための福引抽選用プログラムである。
【００２６】
これらの発明は、主として小規模向きであって、福引や抽選会の景品、参加資格、終了条件の設定を、福引や抽選会を開催したい福引抽選委託者がネットワークを介して決めることができ、それに基づき福引や抽選会が実施できるシステムが実施可能になる。
【発明の効果】
【００２７】
上記に述べた本発明によれば、下記に述べる効果ないし利点がある。
（１）福引や抽選会を開催したい団体や個人にとっては、
ａ）福引や抽選会の実施のノウハウがなくても福引や抽選会が開催可能になる。
ｂ）準備期間が短くなる。
ｃ）時間や場所に制約されずにいつでもどこでも福引や抽選会を開くことができる。
【００２８】
（２）福引や抽選会の代理実施者にとっては、
ａ）手軽に福引や抽選会が行われるようになることから需要が伸び事業の発展が期待できる。
【発明を実施するための最良の形態】
【００２９】
以下、本発明の一実施例を、図面を参照して詳細に説明する。
図１は、本実施例のシステムの構成例を示す接続図である。
【００３０】
同図は、本システムが、通信ネットワーク１と、該通信ネットワーク１に接続され計算機等で構成される福引抽選代理実施者のサーバ装置２と、該福引抽選代理実施者のサーバ装置２に接続される計算機等で構成され景品として提供可能な商品のデータベースである商品情報データベース４と、通信ネットワーク１に接続されるＰＣ（Personal Computer）等で構成され福引や抽選会を福引抽選代理実施者に委託する福引抽選委託者Ａの端末装置Ａ５ａと、同じく福引抽選委託者Ｂの端末装置Ｂ５ｂと（なお、以下の説明において、どの福引抽選委託者の端末装置であるかを特定しないときには福引抽選委託者の端末装置５と称することとする）、ＰＣ等で構成される福引抽選用端末装置６とを有して構成されることを示している。
【００３１】
本システムの構成例に基づくより詳細な機能構成例について図面を用いて詳しく説明する。
【００３２】
図２は、図１のシステムの詳細な機能構成例を示す図である。本システムは、同図に示すように、福引抽選代理実施者のサーバ装置２と、福引抽選委託者の端末装置５と、福引抽選用端末装置６とにより構成されている。
【００３３】
次に、図２を用いて、各装置の機能構成についてさらに詳しく説明する。
福引抽選代理実施者のサーバ装置２は、福引抽選委託者の端末装置５から送出される景品の選択をはじめその他の選択設定を行うための選択設定情報を受信し、景品の選択その他の選択設定を行う選択設定手段２１と、各福引抽選委託者の端末装置５が前記選択設定の結果に基づいた福引抽選を行うようにするためには、選択設定の結果を反映した福引抽選情報を含む福引抽選券を顧客に発行する必要があることから、全ての福引抽選委託者の端末装置５に対し選択設定結果を送出する選択設定結果送出手段２５と、福引抽選用端末装置６から送出される福引抽選情報を受信し、前記選択設定手段２１の設定内容に基づき参加資格が有るかどうかを判断し、参加資格がある場合は福引抽選を行い、当選した場合は当選を通知し、福引抽選情報および抽選結果を料金送出手段２７に渡す福引抽選手段２６と、福引抽選手段２６から渡される福引抽選情報および抽選結果を蓄積し、選択設定手段２１の内容に基づき福引抽選の終了により福引抽選委託者毎の料金の算出を行い、算出した結果を福引抽選委託者の端末装置５に送出する料金送出手段２７を有するサーバ装置である。選択設定手段２１については後に詳しく説明する。
【００３４】
福引抽選委託者の端末装置５は、福引抽選代理実施者のサーバ装置２に選択設定情報を送出する選択設定情報送出手段５１と、福引抽選代理実施者のサーバ装置２から送出される選択設定結果を受信する選択設定結果受信手段５２と、選択設定の結果に基づいた福引抽選ができるようにするために、選択設定の結果を反映した福引抽選情報を含む福引抽選券を顧客に発行する福引抽選情報発行手段５３と、福引抽選代理実施者のサーバ装置２で算出され送出される福引抽選委託者が支払うべき料金を受信する料金受信手段５４とを有するＰＣ等の端末装置である。
【００３５】
福引抽選用端末装置６は、福引抽選委託者の端末装置５が発行する福引抽選券に含まれる福引抽選情報を読み取り、福引抽選代理実施者のサーバ装置２に送出するとともに、抽選を行って当選した場合は当選の通知を受信できる福引抽選情報送出手段６１を有するＰＣ等の端末装置である（以上、請求項５）。
【００３６】
ここで、上記「選択設定情報」とは、景品の選択情報、参加資格の設定情報、終了条件の設定情報などを含む情報である。
【００３７】
さらに詳しく述べると、景品の選択情報とは、例えば、（イ）当選等級情報、（ロ）当選等級の景品情報、（ハ）当選等級毎の当選数情報からなる。
【００３８】
（イ）の当選等級情報は、１等、２等から何等まで等級を設定するかを示す情報であり、（ロ）の当選等級の景品情報は、商品情報データベースに設定されている商品情報から当選等級毎に１等の景品は希望価格Ａ１円、２等の景品は希望価格Ａ２円のように当選等級毎の景品を設定する情報であり、（ハ）の当選等級毎の当選数は、当選等級毎に１等の当選数は何個で、２等の当選数は何個である、などの設定情報である。
【００３９】
参加者資格の設定情報とは、例えば、福引抽選委託団体名と、福引抽選委託者名と、参加する全ての参加者名と、その参加者認定情報と、各参加者の獲得ポイント、及び抽選に必要なポイント数である。ここで、参加者認定情報とは、例えば、参加者名に対するパスワードである。
【００４０】
終了条件の設定情報とは、例えば、終了条件番号であり、終了条件毎に終了条件が設定されており、例えば、終了条件番号１は、「判定時において福引終了日時が過ぎているか、または福引抽選において、すべての当選が完了したかの場合、福引を終了」である。終了条件を複数用意しておき、それぞれに終了番号を設定しておく。
【００４１】
福引抽選代理実施者のサーバ装置２の選択設定手段２１は、選択設定情報に含まれる景品の選択情報に基づき商品情報データベース４と共同して景品を選択する景品選択手段２２と、参加資格の設定情報に基づき福引抽選に参加できる資格を設定する参加資格設定手段２３と、終了条件の設定情報に基づき福引抽選の終了する条件を設定する終了条件設定手段２５とを有する（以上請求項６）。
【００４２】
また、上記「福引抽選情報」とは、福引抽選委託団体名、福引抽選委託者名、福引抽選委託者が発行する一連の番号、福引抽選回数を含む情報である（以上、請求項７）
【００４３】
また、料金送出手段２７では、福引抽選情報に含まれる福引抽選回数を福引抽選委託者名毎にカウントし、カウントに応じて福引抽選委託者名が支払べき費用を算出する（以上、請求項８）。
【００４４】
上記実施例の説明から明らかなように、本福引抽選システムは主として大規模向きであって、本福引抽選システムによれば、福引や抽選会の景品、参加資格、終了条件を、福引や抽選会を開催したい福引抽選委託者が端末装置からネットワークを介して設定することが可能で、また、その設定に基づき福引抽選用端末装置と福引抽選代理実施者のサーバ装置で実際の福引や抽選会を実施することが可能となる。
【００４５】
次に、上述したシステムの動作を説明することによって、本発明の福引抽選方法の手順を詳細に説明する。
【００４６】
図３は、図１のシステムの動作例を示すシーケンスチャートである。
同図は、福引抽選用端末装置６と、福引抽選代理実施者のサーバ装置２と、福引抽選委託者Ａの端末装置Ａ５ａと、福引抽選委託者Ｂの端末装置Ｂ５ｂとの間のシーケンスについて示したものである。
【００４７】
本例では、福引抽選委託者Ａの端末装置Ａ５ａが、福引抽選委託者を代表して選択設定情報を送出するものとして説明する。
【００４８】
同図に示すように、まず、福引抽選委託者Ａの端末装置Ａ５ａの選択設定情報送出手段５１が、福引抽選代理実施者のサーバ装置２に選択設定情報を送出すると（ステップＳ１）、福引抽選代理実施者のサーバ装置２の選択設定手段２１が、景品の選択その他の選択設定を行う（ステップＳ２）。
【００４９】
さらに、福引抽選代理実施者のサーバ装置２の選択設定手段２１が、選択設定した結果を選択設定結果送出手段２５に渡すことにより、選択設定結果送出手段２５が福引抽選委託者Ａの端末装置Ａ５ａおよび福引抽選委託者Ｂの端末装置Ｂ５ｂに送出する（ステップＳ３）。
【００５０】
次に、福引抽選委託者Ａの端末装置Ａ５ａあるいは福引抽選委託者Ｂの端末装置Ｂ５ｂが、顧客に福引抽選情報を含む福引抽選券を発行する（ステップＳ４）。
【００５１】
顧客が福引抽選用端末装置６を操作することにより、福引抽選情報送出手段６１が福引抽選代理実施者のサーバ装置２に福引抽選情報を送出する（ステップＳ５）。
【００５２】
福引抽選代理実施者のサーバ装置２は、福引抽選用端末装置６から福引抽選情報を受取ると、福引抽選手段２６で抽選を行い、抽選の結果当選すると、当選したことを福引抽選用端末装置６に通知する（ステップＳ６）。
【００５３】
また、福引抽選代理実施者のサーバ装置２の料金送出手段２７で選択設定手段２１の設定内容を参照して福引抽選の終了かどうかを判断し（ステップＳ７）、福引抽選が終了の場合に（ステップＳ７：Ｙ）、料金を算出し、福引抽選委託者Ａの端末装置Ａ５ａに送出する（ステップＳ８）。
【００５４】
このようにして福引抽選代理実施者のサーバ装置２の料金送出手段２７から送られてきた料金が、福引抽選委託者Ａの端末装置Ａ５ａの料金受信手段５４で受信される（以上、請求項１）。
【００５５】
次に、福引抽選代理実施者のサーバ装置２の選択設定手段２１が行うステップ２の選択設定の詳細な動作を説明する。なお、選択設定情報とは、前述したように、景品の選択情報、参加資格の設定情報、終了条件の設定情報などを含む情報である。
【００５６】
ステップＳ２では、福引抽選代理実施者のサーバ装置２の選択設定手段２１の景品選択手段２２が、選択設定情報に含まれる景品の選択情報に基づき商品情報データベース４と共同して景品を選択する（ステップＳ２１）。
【００５７】
また、参加資格設定手段２３が、参加資格の設定情報に基づき福引抽選に参加できる資格を設定し（ステップＳ２２）、さらに、終了条件設定手段２４が終了条件の設定情報に基づき福引抽選が終了する条件を設定する（ステップＳ２３）（以上、請求項２）。
【００５８】
さらに詳しく述べると、例えば、選択設定手段２１の景品選択手段２２として、「希望価格以下で、希望価格に最も近い商品を景品として選択」を景品選択の基本理念とするものとする。これに対し、先に述べた選択設定情報（段落〔００３６〕〜〔００４０〕参照）を例にした設定例を以下に述べる。
【００５９】
ステップＳ２では、福引抽選代理実施者のサーバ装置２の選択設定手段２１の景品選択手段２２「希望価格以下で、希望価格に最も近い商品を景品として選択」が、選択設定情報に含まれる景品の選択情報にある当選等級の景品情報「１等の景品は希望価格Ａ１円、２等の景品は希望価格Ａ２円、…」に基づき、商品情報データベース４と共同で商品情報データベース４から希望価格以下で、希望価格に最も近い商品を選択して、当選等級の景品を選択する（ステップＳ２１）。
【００６０】
また、例えば、参加資格設定手段２３として、「各参加者の福引抽選回数は、各参加者の獲得ポイントを抽選に必要なポイント数で割った値」とすると、参加資格設定手段２３が、参加資格の設定情報「福引抽選委託団体名と、福引抽
選委託者名と、参加する全ての参加者名とその参加者認定情報と、各参加者の獲得ポイント、及び抽選に必要なポイント数」に基づき福引抽選に参加できる資格と、（参加者の獲得ポイント）÷（抽選に必要なポイント数）により各参加者毎の福引抽選回数を設定する（ステップＳ２２）。
【００６１】
また、例えば、終了条件設定手段２４として、「終了条件番号１なら終了条件Ａ、終了条件番号２なら終了条件Ｂ、終了条件番号なら終了条件Ｃ」とすると、終了条件設定手段２４が終了条件の設定情報「終了条件番号１」に基づき、福引抽選が終了する条件「終了条件Ａ」を設定する（ステップＳ２３）。
【００６２】
また、福引抽選情報には、上述したように、福引抽選委託団体名、福引抽選委託者名、福引抽選委託者が発行する一連の番号、福引抽選回数が含まれる（以上、請求項３）。
【００６３】
また、料金送出手段２７は、福引抽選情報に含まれる福引抽選回数を福引抽選委託者名毎にカウントし、カウントに応じて福引抽選委託者毎に支払うべき費用を算出することが可能である（以上、請求項４）。
【００６４】
例えば、福引抽選委託団体Ｇに、福引抽選委託者Ａ、Ｂ、Ｃがいた場合、福引総費用を１００万円、福引の総抽選回数を１，０００本とすると、福引抽選回数１回に対して１００万円÷１，０００本＝１，０００円／本を設定しておいて、福引抽選委託者Ａでは抽選回数２００本、福引抽選委託者Ｂでは抽選回数３５０本、福引抽選委託者Ｃでは抽選回数４５０本とすると、福引抽選委託者Ａが支払う費用は、１，０００円／本 × ２００本＝２０万円となり、福引抽選委託者Ｂが支払う費用は、１，０００円／本 × ３５０本＝３５万円となり、福引抽選委託者Ｂが支払う費用は、１，０００円／本 × ４５０本＝４５万円となる。
【００６５】
本福引抽選方法によれば、主として大規模向きであって、福引や抽選会の景品選択情報、参加資格情報、終了条件の設定情報を、福引や抽選会を開催したい福引抽選委託者がネットワークを介して決めることができ、それに基づき福引や抽選会が実施できるようにし、評判の良い福引や抽選会がタイムリーに開催できることになる。
【００６６】
次に、本発明の別の実施例を、図面を用いて詳細に説明する。
なお、本実施例の説明に用いる各図面においては、上記実施例で示したものと同一または同等の構成要素については同一の符号をあて、またこれらの構成要素についての詳細な説明を省略する。
【００６７】
図４は、本実施例のシステムの構成例を示す接続図である。
同図に示すように、本福引抽選システムは、通信ネットワーク１と、通信ネットワーク１に接続され計算機等で構成される福引抽選代理実施者のサーバ装置２と、福引抽選代理実施者のサーバ装置２に接続される計算機等で構成され景品として提供可能な商品のデータベースである商品情報データベース４と、通信ネットワーク１に接続される福引や抽選会を福引抽選代理実施者に委託する福引抽選委託者Ｃの携帯電話Ｃ７ｃと、同じく福引抽選委託者Ｄの携帯電話Ｄ７ｄと（以下、どの福引抽選委託者の携帯端末であるかを特定しないときには福引抽選委託者の携帯電話を単に携帯電話７と称する）から構成される。なお、本実施例では携帯電話を用いた例を示すが、携帯電話の代わりに、より一般的な移動可能な携帯端末を用いてもよいことはいうまでもない。
【００６８】
図４に示す福引抽選システムは、図１の福引抽選委託者の端末装置５が福引抽選委託者の携帯電話７になっている点、また図１の福引抽選用端末装置６を構成に含めていない点が図１とは異なっている。すなわち、福引抽選委託と福引抽選の両方を、福引抽選委託者の携帯電話（移動可能な携帯端末）から行う点が、図１の実施例と異なっている。
【００６９】
図５は、図４のシステムの詳細な機能構成例を示す図である。
本例のシステムの機能構成は、同図に示すように、大きく分けて、福引抽選代理実施者のサーバ装置２と、福引抽選委託者の携帯電話７とにより構成されている。
【００７０】
福引抽選代理実施者のサーバ装置２は、福引抽選委託者の携帯電話７の洗濯設定情報送出部７１から送出される選択設定情報を受信し、景品の選択その他の選択設定を行う選択設定手段２１と、福引抽選委託者の携帯電話７からのアクセスにより、選択設定手段２１の設定内容に基づき参加資格が有るかどうかを判断し、参加資格がある場合は福引抽選を行い、当選した場合は当選を通知し、アクセスしてきた回線および抽選結果を料金送出手段２７に渡す福引抽選手段２６と、福引抽選手段２６から渡されるアクセス回線および抽選結果を蓄積し、選択設定手段２１の内容に基づき福引抽選の終了により料金の算出を行い、福引抽選委託者の携帯電話７に算出した結果を送出する料金送出手段２７を有するサーバ装置である。
【００７１】
また、福引抽選委託者の携帯電話７は、選択設定情報を福引抽選代理実施者のサーバ装置２に送出する選択設定情報送出手段７１と、福引抽選代理実施者のサーバ装置２の料金送出手段２７から送出される料金の算出した結果を受信する料金受信手段７２とを有する携帯電話である（以上、請求項１２）。
【００７２】
また、本実施例でも、選択設定情報は、景品の選択情報、参加資格の設定情報、終了条件の設定情報を含む情報である。
【００７３】
福引抽選代理実施者のサーバ装置２の選択設定手段２１は、選択設定情報に含まれる景品の選択情報に基づき商品情報データベース４と共同して景品を選択する景品選択手段２２と、参加資格の設定情報として例えば参加できる回線を設定する参加資格設定手段２３と、終了条件の設定情報として例えば全回線が一定の回数のアクセスを行ったことに基づき福引抽選の終了する条件を設定する終了条件設定手段２５とを有する（以上、請求項１３）。
【００７４】
上述したことから明らかなように、本福引抽選システムは主として小規模向きであって、福引や抽選会の景品選択情報、参加資格情報、終了条件の設定情報を、福引や抽選会を開催したい福引抽選委託者がネットワークを介して決めることができ、それに基づき福引や抽選会が実施できる機能を有することになる。
【００７５】
次に、上記実施例のシステムの動作を説明することにより、本実施例の福引抽選方法の手順を説明する。
【００７６】
図６は、図４の実施例の福引抽選システムの動作例を示すシーケンスチャートである。同図は、本福引抽選システムにおける福引抽選代理実施者のサーバ装置２と、福引抽選委託者Ｃの携帯電話Ｃ７ｃと、福引抽選委託者Ｄの携帯電話Ｄ７ｄとの間のシーケンスについて示したものである。
【００７７】
本例では、福引抽選委託者Ｃの携帯電話Ｃ７ｃが福引抽選委託者を代表して選択設定情報を送出するものとしている。
【００７８】
図６において、まず、福引抽選委託者Ｃの端末装置Ｃ７ｃの選択設定情報送出手段７１ｃが福引抽選代理実施者のサーバ装置２に選択設定情報を送出すると（ステップＳ３１）、福引抽選代理実施者のサーバ装置２の選択設定手段２１がこれらの選択設定情報を受信して、これらの情報を用いて景品の選択その他の選択設定を行う（ステップＳ３２）。
【００７９】
その後、福引抽選委託者Ｃの携帯電話Ｃ７ｃあるいは福引抽選委託者Ｄの携帯電話Ｄ７ｄが福引抽選代理実施者のサーバ装置２にアクセスすると（ステップＳ３３ａ、Ｓ３３ｂ）、福引抽選代理実施者のサーバ装置２の福引抽選手段２６が抽選を行い、当選すると当選したことを、福引抽選委託者Ｃの携帯電話Ｃ７ｃあるいは福引抽選委託者Ｄの携帯電話Ｄ７ｄに通知する（ステップＳ３４ａ、Ｓ３４ｂ）。
【００８０】
福引抽選代理実施者のサーバ装置２の料金送出手段２７が選択設定手段２１の設定内容に基づいて福引抽選の終了かどうかを判断し（ステップＳ３５）、終了である場合（ステップＳ３５：Ｙ）には、料金を算出し、福引抽選委託者Ｃの携帯電話Ｃ７ｃに送出し、福引抽選委託者Ｃの携帯電話Ｃ７ｃの料金受信手段７２ｃが送出された料金を受信する（ステップＳ３６）（以上請求項１０）。
【００８１】
本例の場合も、前述したのと同様、選択設定情報とは、景品の選択情報、参加資格の設定情報、終了条件の設定情報を含む情報であり、上述した選択設定のステップＳ２では、福引抽選代理実施者のサーバ装置２の選択設定手段２１の景品選択手段２２が、選択設定情報に含まれる景品の選択情報に基づき商品情報データベース４と共同して景品を選択し（ステップＳ３２１）、参加資格設定手段２３が参加資格の設定情報として例えば参加できる回線を設定し（ステップＳ３２２）、終了条件設定手段２５が終了条件の設定情報として例えば全回線が一定の回数のアクセスを行ったことに基づき福引抽選の終了する条件を設定する（ステップＳ３２３）ようにしてもよい（以上、請求項１１）。
【００８２】
以上説明したように、本例の福引抽選システムおよび福引抽選方法は、主として小規模向きであって、福引や抽選会の景品、参加資格、終了条件を、福引や抽選会を開催したい福引抽選委託者が携帯電話を用いてネットワークを介して設定することができ、その設定に基づいて福引や抽選会が実施できるようにしたものであり、これにより、評判の良い福引や抽選会がタイムリーに開催できることになる。
【００８３】
なお、上記各実施例において、福引抽選代理実施者のサーバ装置、福引抽選委託者の端末装置、福引抽選用端末装置、福引抽選委託者の携帯電話における各手段を実現するプログラムは、ＣＤ−ＲＯＭ,ＤＶＤ，ＦＤ，コンパクトフラッシュ（登録商標），スマートメディアなどのコンピュータや携帯電話で読み取り可能な記録媒体に記録して市場に頒布したり，インターネットなどのＷＥＢを介して利用者に配布することが可能である（以上、請求項９および請求項１４）。
【産業上の利用可能性】
【００８４】
上記に説明したとおり本発明が産業上の利用が可能であることは明らかである。即ち評判を呼ぶ福引や抽選会がタイムリーに手軽に開催できることから、需要が伸びそれを支えるシステムの導入および普及が期待できる。
【図面の簡単な説明】
【００８５】
【図１】本発明の福引抽選システムの構成例を示す接続図である。
【図２】図１の福引抽選システムの機能構成図である。
【図３】図１の福引抽選システムのシーケンスチャートを示す図である。
【図４】実施例の福引抽選システムの構成例を示す接続図である。
【図５】図４の福引抽選システムの機能構成図である。
【図６】図４の福引抽選システムのシーケンスチャートを示す図である。
【符号の説明】
【００８６】
１：通信ネットワーク
２：福引抽選代理実施者のサーバ装置
２１：選択設定手段
２２：景品選択手段
２３：参加資格設定手段
２４：終了条件設定手段
２５：選択設定結果送出手段
２６：福引抽選手段
２７：料金送出手段
４：商品情報データベース
５（５ａ、５ｂ）：福引抽選委託者の端末装置
５１：選択設定情報送出手段
５２：選択設定結果受信手段
５３：福引抽選情報発行手段
５４：料金受信手段
６：福引抽選用端末装置
６１：福引抽選情報送出手段
７（７ｃ、７ｄ）：福引抽選委託者の携帯電話
７１：選択設定情報送出手段
７２：料金受信手段
【図１】
2005339159.tif 000003
【図２】
2005339159.tif 000004
【図３】
2005339159.tif 000005
【図４】
2005339159.tif 000006
【図５】
2005339159.tif 000007
【図６】
2005339159.tif 000008